(57)【特許請求の範囲】
【請求項１】
フローティングウィンドウを表示する表示手段と、
前記フローティングウィンドウ内の選択箇所の移動を指示する操作手段と、
１辺に複数のタグからなるタグ列を有するとともに、タグの選択に応じて、画質調整パラメータを含む複数の項目からなるメニューページを切り換え表示するフローティングウィンドウを作成して前記表示手段に出力する制御手段であって、
前記フローティングウィンドウ内の選択箇所に、前記操作手段を用いて移動可能な方向を矢印表示するとともに、
前記複数のタグのうちいずれかのタグが選択されているとき、
前記操作手段により、選択箇所を前記タグ列に沿って移動させる操作が行われたとき、移動方向に隣接するタグが選択されている状態に表示変更して、表示するページを選択されたタグに対応するページに切り換え、
前記操作手段により、選択箇所を前記タグ列から前記フローティングウィンドウの内側に向けて移動させる操作が行われたとき、そのとき表示しているページ内の項目が選択されている状態に表示変更し、
前記操作手段により、選択箇所を前記タグ列から前記フローティングウィンドウの外側に向けて移動させる操作が行われたとき、選択箇所の移動先となる前記フローティングウィンドウの辺部に、前記フローティングウィンドウを移動させるための移動バーを表示する
制御手段と、
を備えたビデオプロジェクタ。
【請求項２】
フローティングウィンドウを表示する表示手段と、
前記フローティングウィンドウ内の選択箇所の移動を指示する操作手段と、
１辺に複数のタグからなるタグ列を有するとともに、タグの選択に応じて対応するページを切り換え表示するフローティングウィンドウを作成して前記表示手段に出力する制御手段であって、
前記フローティングウィンドウ内の選択箇所に、前記操作手段を用いて移動可能な方向を矢印表示するとともに、
前記複数のタグのうちいずれかのタグが選択されているとき、
前記操作手段により、選択箇所を前記タグ列に沿って移動させる操作が行われたとき、移動方向に隣接するタグが選択されている状態に表示変更して、表示するページを選択されたタグに対応するページに切り換え、
前記操作手段により、選択箇所を前記タグ列から前記フローティングウィンドウの内側に向けて移動させる操作が行われたとき、そのとき表示しているページ内の項目が選択されている状態に表示変更し、
前記操作手段により、選択箇所を前記タグ列から前記フローティングウィンドウの外側に向けて移動させる操作が行われたとき、選択箇所の移動先となる前記フローティングウィンドウの辺部に、前記フローティングウィンドウを移動させるための移動バーを表示する
制御手段と、
を備えた処理装置。
【発明の詳細な説明】
【０００１】
【発明の属する技術分野】
この発明は、ビデオプロジェクタなどの処理装置に関し、特に画面に表示されるメニュー内での操作の支援に関する。
【０００２】
【発明が解決しようとする課題】
ビデオプロジェクタなど、画面表示機能を備えた処理装置では、各種の設定などの操作を画面にメニューを表示し、そのメニュー上でリモコンなどで操作をしながらするようにしているものがある。このような装置では、メニューにページや項目を多種類にし、リモコンのキーは少なくてすむようにしている。
【０００３】
このため、リモコンのキーは場面場面で種々の機能が与えられているが、従来のメニュー画面表示では、項目が一覧表示されるのみであったため、各場面でどのようなキー操作をすればよいのかが分からない場合があった。このため、利用者は間違った操作をしてしまい、正しい設定ができなかったり、項目の移動ができなかったりし、マニュアル本を読まないと正しい操作ができないというような問題点があった。
【０００４】
この発明は、画面に操作支援の表示をすることで上記課題を解決したビデオプロジェクタおよび処理装置を提供することを目的とする。
【０００５】
【課題を解決するための手段】
請求項１の発明は、フローティングウィンドウを表示する表示手段と、前記フローティングウィンドウ内の選択箇所の移動を指示する操作手段と、１辺に複数のタグからなるタグ列を有するとともに、タグの選択に応じて、画質調整パラメータを含む複数の項目からなるメニューページを切り換え表示するフローティングウィンドウを作成して前記表示手段に出力する制御手段であって、前記フローティングウィンドウ内の選択箇所に、前記操作手段を用いて移動可能な方向を矢印表示するとともに、前記複数のタグのうちいずれかのタグが選択されているとき、前記操作手段により、選択箇所を前記タグ列に沿って移動させる操作が行われたとき、移動方向に隣接するタグが選択されている状態に表示変更して、表示するページを選択されたタグに対応するページに切り換え、前記操作手段により、選択箇所を前記タグ列から前記フローティングウィンドウの内側に向けて移動させる操作が行われたとき、そのとき表示しているページ内の項目が選択されている状態に表示変更し、前記操作手段により、選択箇所を前記タグ列から前記フローティングウィンドウの外側に向けて移動させる操作が行われたとき、選択箇所の移動先となる前記フローティングウィンドウの辺部に、前記フローティングウィンドウを移動させるための移動バーを表示する制御手段と、を備えたことを特徴とする。
請求項２の発明は、フローティングウィンドウを表示する表示手段と、前記フローティングウィンドウ内の選択箇所の移動を指示する操作手段と、１辺に複数のタグからなるタグ列を有するとともに、タグの選択に応じて対応するページを切り換え表示するフローティングウィンドウを作成して前記表示手段に出力する制御手段であって、前記フローティングウィンドウ内の選択箇所に、前記操作手段を用いて移動可能な方向を矢印表示するとともに、前記複数のタグのうちいずれかのタグが選択されているとき、前記操作手段により、選択箇所を前記タグ列に沿って移動させる操作が行われたとき、移動方向に隣接するタグが選択されている状態に表示変更して、表示するページを選択されたタグに対応するページに切り換え、前記操作手段により、選択箇所を前記タグ列から前記フローティングウィンドウの内側に向けて移動させる操作が行われたとき、そのとき表示しているページ内の項目が選択されている状態に表示変更し、前記操作手段により、選択箇所を前記タグ列から前記フローティングウィンドウの外側に向けて移動させる操作が行われたとき、選択箇所の移動先となる前記フローティングウィンドウの辺部に、前記フローティングウィンドウを移動させるための移動バーを表示する制御手段と、を備えたことを特徴とする。
【０００６】
上記発明において、スクリーンなどの画面にメニューなど複数の選択項目を映写（表示）し、リモコン装置などの操作手段を用いてその操作を行う。一般的に操作手段に設けられている操作子（ボタンスイッチなど）の数は、画面に表示される項目やパラメータなどの数よりも少ないため、各操作子が各項目において種々の機能を担当する。このため、どの操作子を操作すれば選択項目を変更できるかが場面によって異なる。そこで、この発明では、各項目が選択されている場面において、選択項目を変更するにはどの操作子を操作すればよいか、すなわち、どの項目に選択を移動することができるかを表示するこれによって、利用者の操作を支援する。
【０００７】
【発明の実施の形態】
図１はこの発明の実施形態であるビデオプロジェクタのブロック図である。ビデオプロジェクタはＤＶＤプレーヤなどの映像再生装置からアナログの映像信号を入力し、これをディジタルデータに変換したのち画質調整してスクリーンに映写するものである。同図において、ＤＶＤプレーヤなどの映像再生装置から入力される信号はコンポジット信号、ＲＧＢコンポーネント信号などどのような形式であってもよい。入力された映像信号は、ＡＤコンバータ１１によってディジタルデータ化され映像データとなる。この映像データは画質調整部１２に入力される。画質調整部１２は、制御部１０から入力された画質調整パラメータに基づいて、映像再生装置から入力された映像データの画質を調整する。画質調整パラメータは、輝度（Ｂｒｉｇｈｔｎｅｓｓ）、コントラスト（Ｃｏｎｔｒａｓｔ）、色相（Ｈｕｅ）、飽和度（Ｓａｔｕｒａｔｉｏｎ）、シャープネス（Ｓｈａｒｐｎｅｓｓ）、色温度（Ｃｏｌｏｒ  Ｔｅｍｐ）などである。画質調整部１２で画質が調整された映像データはフレームコントローラ１３に入力される。フレームコントローラ１３は、図３に示すようにフレームバッファを有し、画質調整部１２から入力される映像データを１フレーム分記憶し、後段の光学系１４の処理サイクルに同期させてこの映像データを出力する。この再生された映像が光源用ランプおよび映写用レンズによってスクリーン２０に映写する。また、リモコン通信部１５は図２に示すリモコンが発信する赤外線信号を受信してこれを復調し、リモコン操作によって発生したコードを制御部１０に入力する。制御部１０は、この装置全体、すなわち前記ＡＤコンバータ１１、画質調整部１２、フレームコントローラ１３および光学系１４を制御するものであり、マイコンで構成されている。
【０００８】
図２は、このビデオプロジェクタに付属するリモコン２の外観図である。このリモコン２には、上下左右のボタンスイッチからなる４つの十字カーソルボタン２１（２１ｕ，２１ｄ，２１ｌ，２１ｒ）、この４つの十字カーソルボタン２１の中央に設けられている確定ボタン２２、メニューウィンドウ画像５０（メニュー５０：図５参照）を呼び出したり消去したりするためのメニューボタン２３およびメニュー５０内の所定エリアの選択を解除するためのエスケープボタン２４が設けられている。このリモコンは、ビデオプロジェクタ１に対して、画質の調整をするときなどに用いられる。
【０００９】
図３は前記フレームコントローラ１３のブロック図である。フレームコントローラ１３は、映像データの入出力および合成を制御する処理部３０および１フレームの映像データを記憶するフレームバッファ３１を有している。通常再生時には、画質調整部１２から入力された映像データを１フレーム毎にフレームバッファ３１に書き込み、これを光学系１４の処理周期に同期させてこれを出力する。
【００１０】
利用者がリモコン２を操作してメニューを呼び出すと制御部１０が図５のメニュー５０を生成して処理部３０に入力する。処理部３０は、これを画質調整部１２から入力された映像データの上に合成して光学系１４に入力する。したがって、このときスクリーン１５には図４（Ａ）のような画面が映写される。メニュー５０の映像データは別にバッファしておいてもよく、フレームバッファ３１に直接書き込むようにしてもよい。
【００１１】
また、フレームコントローラ１３はフレームバッファ３１よりも小さく、フレームの一部を記憶することができるキャプチャメモリ３２を有している。このキャプチャメモリ３２は、利用者による画質調節（画質調整パラメータの変更）時に用いられる。
【００１２】
ここで、この明細書において、（画質の）調整は画質調整部１２が、画質調整パラメータに基づいて行う映像データの処理動作を表す語として用い、（画質の）調節は、利用者がリモコン２の操作によって行う画質調整パラメータの変更操作を表す語として用いる。
【００１３】
利用者は画質を調節するとき、リモコン２のメニューボタン２３をオンしてメニューを呼び出す。このときビデオプロジェクタの前段に接続されているＤＶＤプレーヤなどの映像再生装置にポーズをかけて映像を静止させて静止画が出力されるようにしてもよく、また動画のままでもよい。制御部１０はメニューの呼び出しがされると、図５に示すようなメニューウィンドウ画像５０を生成してフレームコントローラ１３に入力する。フレームコントローラ１３は、画質調整部１２から入力された映像データの上にこのメニューウィンドウ画像５０を合成して光学系１４に出力し、図４（Ａ）のような合成映像をスクリーン２０に映写する。
【００１４】
ここで、図５を参照してメニューウィンドウ画像５０について説明する。なお、以後メニューウィンドウ画像５０を単にメニュー５０と表記する場合もある。メニューは複数のページからなっており、各ページは見出しであるタグエリア５１とそのページに対応するパラメータの設定を行う設定エリア５２からなっている。同図（Ａ）は、画質調節ページのタグエリア５１ａが選択されている状態を示している。この状態では、タグエリア５１ａが他のタグエリアとは別の色に色付けされて目立つようにされている。また、同図（Ｂ）は、画質調節のページの設定エリアのうち、上から２番目のパラメータＣｏｎｔｒａｓｔが選択されている状態を示している。選択されているパラメータは他のパラメータとは別の色に色付けされて目立つようにされ、メニュー５０の最下欄に選択されているパラメータ操作説明（Ｃｈａｎｇｅ  Ｐｉｃｔｕｒｅ  Ｃｏｎｔｒａｓｔ）が表示される。なお、その右に表示されているＶｉｄｅｏは入力ソース名である。また、選択されているパラメータの欄には、どのカーソルボタンをオンすれば他のエリア（パラメータ）に移動できるかの移動可能方向の矢印５５が表示されている。同図では、上または下に移動可能なことを示している。また、画質調節のページが選択されているときメニュー５０の左部には画質の調節に応じて調整された映像を表示するプレビューウィンドウ５３が設定される。
【００１５】
同図（Ａ）の状態から下方向のカーソルボタン２１ｄを２回オンすると同図（Ｂ）の状態に移行する。また、同図（Ａ）の状態で右方向のカーソルボタン２１ｒをオンすることにより、他のページに移動することができる。選択されたページの設定エリアの画像が設定エリアの表示エリア５２に表示される。
【００１６】
また、いずれかのタグエリア５１が選択されているときに、さらに、上向きのカーソルボタン２１ｕがオンされると移動バー５４が選択される。移動バー５４は通常は表示されていないが、選択されたときのみ表示される。あるいは、常時表示しておいて、選択時に色付けして目立つようにしてもよい。この移動バー５４が表示されているときに、いずれかのカーソルボタン２１がオンされるとメニュー５０全体がそのオンされたカーソルの方向に移動する。
【００１７】
図３において、メニュー５０を表示したのち、利用者がリモコン２を操作して、画質調節エリアを選択すると、そのとき画質調整部１２から入力されていた映像データをフレームバッファキャプチャする。すなわち、そのときの映像データを調整前の映像データとしてフレームバッファ３１に保持し、それ以後に入力される映像データのフレームバッファ３１への書き込みを禁止する。
【００１８】
そして、利用者がさらにリモコンを操作して画質調整パラメータを変更すると、すなわち画質を調節すると、制御部１０はこの調節によって変更された画質調整パラメータを画質調整部１２に入力する。そうすると、それ以後画質調整部１２から出力される映像データは利用者の操作によって調節された画質となる。フレームコントローラ１３は、この映像データをフレームバッファ３１には取り込まず。そのうちの一部エリアの映像データのみをキャプチャメモリ３２に書き込む。キャプチャメモリ３２に書き込む映像データは、メニュー５０の左側に設けられているプレビューウィンドウ５３のエリアに対応する映像データである。そして、処理部３０は、フレームバッファ３１に記憶している変更前の１フレーム全体の映像データの上にメニュー５０とキャプチャメモリ３２に取り込まれた画質変更後の映像データであるプレビュー映像データを合成して光学系１４に出力する。これにより、画質調節前の映像の中に画質調節後の映像がウィンドウ表示され、どの程度画質が変わったかを比較することができ、利用者は実際の映像を見て比較しながら画質の調節をすることができる。
【００１９】
利用者は好みの画質になるまで画質の調節を行い、好みの画質になったとき、確定ボタン２２をオンする（または画質調節のページから抜ける）。そうすると、画質の調節が確定した旨の確定指示データが制御部１０から処理部３０に伝達される。処理部３０は、この指示データに対応して画質調整部１２から入力された映像データのフレームバッファ３１への取り込みを再開し、全体が調節後の映像となるようにする。
【００２０】
そして、利用者が再度メニューボタン２３をオンすると、メニューが画面から消去され、通常の映像が光学系１４に出力されるようになる。利用者は、こののち前段の映像再生装置のポーズを解除して通常の再生を再開し、動画の映像が映写されるようにする。このように、この装置では利用者が映像の画質を調節しているとき、調節前の映像と調節後の映像が両方ともスクリーン２０に映写されるため、利用者は両者を比較しながら画質を最適に調節することができる。
【００２１】
なお、この実施形態では、メニューの左側の一部に設けられたウィンドウの内部にプレビュー映像を表示するようにしているが、画質調節前の映像と調節後のプレビュー映像との組み合わせはこれに限定されない。たとえば、メニュー５０のウィンドウ５３内に調節前の映像を残し、メニュー以外の画面を全て調節後のプレビュー映像にするようにしてもよい。また、図４（Ｂ）のように、ウィンドウを用いずに画面を２つのエリア２０１，２０２に区切り、一方のエリア２０１に調節前の映像を表示し、他方のエリア２０２にプレビュー映像を表示するようにしてもよい。また、調節前の映像とプレビュー映像の境界線はあっても無くてもよい。図５のメニューウィンドウ画像の例においてプレビューウィンドウ５３左側の境界線をなくしてもよい。
【００２２】
図６〜図８は、制御部１０の動作を示すフローチャートである。この動作は、リモコン２のボタン操作に対応する処理動作を示している。上述したようにリモコン２は、上下左右の十字カーソルボタン２１、確定ボタン２２、メニューボタン２３およびエスケープボタン２３を有しており、それぞれのボタンが操作されたとき、それに対応する動作を実行する。なお、メニュー５０が表示されていないときは、メニューボタン２３以外のボタン操作は無効である。
【００２３】
メニューボタン２３が操作されたとき、ｓ１でこれを判断してｓ２〜ｓ５の処理を実行する。ｓ２では現在メニュー５０を表示しているかを判断する。メニュー５０の表示中でない場合には、このメニューボタン２３の操作はメニューの呼び出しであるとしてメニューウィンドウ画像５０のデータをフレームコントローラ１３に出力してこれをスクリーンに表示させ（ｓ３）、表示されたメニュー５０のうち、左上のタグエリアである画質調節ページのタグエリア５１ａを選択して（ｓ４）、そのエリアに色付けをし、移動可能方向を表示する（ｓ５）。この画質調節ページのタグエリア５１ａの場合、移動可能方向は、上（移動バー５４）、右（他のタグエリア）、下（画質調節ページの設定エリア５２）の３方向である。
【００２４】
一方、メニューボタン２３が表示されたときメニュー５０の表示中であった場合には、このメニューボタン２３の操作は、メニューの消去指示であるとしてフレームコントローラ１３にメニューウィンドウ画像の消去を指示してメニューを消去する（ｓ６）。そしてそのとき選択されたいたエリアが画質調節ページの設定エリアであった場合には、フレームコントローラ１３に対してフレームバッファ３１に映像データのキャプチャを解除するように指示して（ｓ７）、通常の再生にもどす。
【００２５】
また、十字カーソルボタン２１がオンされた場合には、ｓ１０でこれを判断し、メニュー画面が表示されている場合には（ｓ１１）、ｓ１２〜ｓ３６の動作を実行する。そのときメニュー５０の最上部の移動バー５４が選択されている場合には、オンされたカーソルボタンの方向に応じて画面上でメニュー５０を移動させる（ｓ１３）。この移動は、制御部１０がフレームコントローラ１３に対してメニューウィンドウ画像の表示座標を変更することで行えばよい。
【００２６】
選択されているエリアが移動バー５４以外の場合にはｓ１４に進んで、上下のカーソルボタン２１ｕ，２１ｄがオンされたか、左右のカーソルボタン２１ｒ，２１ｌがオンされたかを判断する（ｓ１４）。上下のカーソルボタン２１ｕ，２１ｄがオンされた場合には操作に合わせて選択するエリアを移動させる（ｓ１５）。すなわち、設定エリアにおけるパラメータの変更はすべて左右のカーソルボタン２１ｒ，２１ｌで行われ、上下のカーソルボタン２１ｕ，２１ｄは専らエリアの選択の移動に使用されるからである。この移動の結果、移動バー５４が選択された場合には移動バー５４を見えるように表示する（ｓ１７）。移動バー以外のエリアに移動した場合には、選択されたエリアを色付けして目立つようにし、そのエリアからの移動可能方向の矢印を表示する（ｓ１８）。
【００２７】
そして、この移動の結果、画質調節ページの設定エリア５２が選択された場合にはフレームバッファ１３に対して、現在画質調整部１２から入力されている映像データを調節前の映像としてフレームバッファ３１にキャプチャするように指示する（ｓ１９，ｓ２０）。また、この移動の結果、他の設定エリアが選択された場合には、そのエリアに対応する処理をする（ｓ２１，ｓ２２）。また、この移動でエリアの選択が画質調節ページの設定エリア５２からタグエリア５１ａに移動した場合には、調節前の映像のキャプチャを解除して、通常の映像再生にもどるようにフレームコントローラ１３に指示する（ｓ２３，ｓ２４）。
【００２８】
また、左右のカーソルボタン２１ｒ，２１ｌがオンされた場合には、現在タグエリア５１が選択されているか設定エリアが選択されているかを判断する（ｓ３０）。タグエリア５１が選択されている場合には、操作された方向の隣のページのタグエリアに移動してそのページを設定エリアに表示するとともに（ｓ３１）、移動によって選択されたタグエリアを色付けして目立つようにし、そのタグエリアから移動可能な方向の矢印を表示する（ｓ３２）。また、左右のカーソルボタンがオンされたとき設定エリアが選択されていた場合にはその操作に合わせて設定値を変更する（ｓ３３）。そして、そのとき画質調節エリアが選択されており、輝度（Ｂｒｉｇｈｔｎｅｓｓ）、コントラスト（Ｃｏｎｔｒａｓｔ）、色相（Ｈｕｅ）、飽和度（Ｓａｔｕｒａｔｉｏｎ）、シャープネス（Ｓｈａｒｐｎｅｓｓ）、色温度（Ｃｏｌｏｒ  Ｔｅｍｐ）のいずれかのパラメータの値が変更された場合には（ｓ３４）、その変更されたパラメータの値を画質調整部１２に送信して画質調整の内容を変更する（ｓ３５）。また、画質調整部以外の設定エリアであった場合にはそのエリアに対応する処理を実行する（ｓ３６）。
【００２９】
また、確定ボタン２２がオンされた場合には、ｓ４０でそれを判断しｓ４１〜ｓ４４の処理を実行する。確定ボタン２２がオンされたとき画質調節ページの設定エリア５２が選択されていた場合には、そのときの調節内容を一旦確定させるため、フレームコントローラ１３に対してそのとき画質調整部１２から入力されている映像データをフレームバッファ３１に再度キャプチャするように指示する（ｓ４１，ｓ４２）。これにより、確定ボタン２２がオンされたときの画質調整内容が調節前の映像となってフレームバッファ３１に取り込まれることになる。また、他の設定エリアが選択されていた場合には、そのエリアに対応する処理を実行する（ｓ４３，ｓ４４）。そして、選択エリアが設定エリア以外であった場合には何もしない。
【００３０】
また、エスケープボタン２４がオンされた場合には、ｓ４５でこれを判断しｓ４６以下の動作を実行する。この実施形態ではエスケープボタン２４は、移動バー５４が選択されているときのみ有効である。このため、現在移動バー５４が選択されているかを判断し（ｓ４６）、移動バー５４が選択されていない場合には何もしない。移動バー５４が選択されている場合には、このエスケープボタン２４のオンは移動の完了であると判断し、移動バー５４に移動してくる前に選択されていたタグエリアに選択を移動する（ｓ４７）。そして、そのタグエリアを色付けして目立つようにし、そのタグエリアから移動可能な方向の矢印を表示する（ｓ４８）。
【００３１】
このように、この実施形態では、メニュー５０を表示し、画質調節ページの設定エリア５２が選択されているときは、メニュー５０以外の画面に調節前の映像を表示し、メニュー５０内のプレビューウィンドウ５３内に調節後のプレビュー映像を表示するようにしたことにより、両者を比較しながら最適の画質に調節することができる。
【００３２】
また、メニュー５０内でどのエリアが選択されている場合でも、そのエリアから他のエリアに移動するときに移動可能な方向を矢印で表示するようにしたことにより、利用者が的確な操作をすることが可能になる。なお、実施形態では矢印を選択されているエリア内に表示するようにしているが、選択されているエリア外に矢印表示用のエリアを設け、常にエリアに矢印を表示するようにしてもよい。また、選択されていないエリアを含めて全てのエリアに移動可能方向の矢印を表示しておくようにしてもよい。
【００３３】
また、メニュー５０を画面内で移動させることができるようにしたことにより、画質の調節をする場合に、メニューを邪魔にならない所に移動させたり、プレビューウィンドウ５３を最も注目すべき所に移動させてプレビュー映像を表示させるなどをすることができ、画質の調整が容易になる。
【００３４】
図９、図１０は、他の実施形態を示す図である。これらの実施形態において、フレームコントローラ１３は、処理部３０およびフレームバッファ３１のみを備えており、図９の実施形態は、制御部１０の機能を用いてプレビューを行い、図１０の実施形態は、処理部３０のマスク機能を用いてプレビューを行うものである。
図９は、フレームコントローラ１３に入力された映像データの一部エリアを処理部１０が取り込んで画質調整をし、これをフレームコントローラ１３にフィードバックするものである。この実施形態では、フレームコントローラ１３は、画質調整部１２から入力された映像データをフレームバッファ３１に記憶し、そのうち制御部１０から指定された一部エリア（メニュー５０のプレビューウィンドウ５３のエリア）の映像データを制御部１０に入力する。制御部１０は、利用者によって調節された画質にこの一部エリアの映像データを調整する。制御部１０は、現在画質調整部１２に設定されている画質調整パラメータを記憶しており、また、利用者によって変更された画質調整パラメータも入力されている。これに基づいて、制御部１０は入力された一部エリアの映像データを利用者が変更した画質に調整してフレームコントローラ１３にフィードバックする。フレームコントローラ１３は、フレームバッファ３１にバッファしている元の映像データ（調節前映像）、制御部１０からフィードバックされた一部エリアの映像データ（調節後のプレビュー映像およびメニューウィンドウ画像を合成して光学系１４に出力する。この場合、フレームコントローラ１３（処理部３０）は、制御部１０からフィードバックされた映像データをフレームバッファ３１に上書きしてもよく、フレームバッファ３１を書き直すことなく、処理部３０内で合成して光学系１４へ出力するようにしてもよい。
【００３５】
以上の構成の場合、図６〜図８のフローチャートにおいて、処理部１０は、ｓ３５でパラメータを画質調整部１２に送信する代わりに、フレームコントローラ１３から入力した映像データを利用者の設定変更に基づいて画質調整（再調整）してフレームコントローラ１３にフィードバックする。
【００３６】
以上の処理も基本的には静止画像に対して行うが、制御部１０の処理が高速であれば、動画をそのままプレビューすることも可能である。また、この実施形態では、プレビューの映像を処理部１０が作成するため、利用者による画質調整パラメータの設定変更（調節）を、直接画質調整部１２に入力する必要がなく、設定変更のキャンセルが容易である。動画をそのままプレビューする場合には、図６〜図８のフローチャートにおいて、映像のキャプチャおよびキャプチャ解除の指示をする必要はなく、常に最新の映像データを画質調整部１２から入力してフレームバッファ３１に書き込み、そのうちプレビューウィンドウに対応するか所の映像データを制御部１０入力するようにすればよい。
【００３７】
図１０の実施形態では、画質調節ページの設定エリア５２が選択されたとき、フレームコントローラ１３の処理部３０に対して、プレビューウィンドウ５３のエリア以外をマスクすることによって、そのとき入力されている映像データを調節前の映像としてキャプチャする。制御部１０は、リモコン操作によって画質調整パラメータが変更されたとき、画質調整部１２に対してそのパラメータを送信する。したがって、画質調節部１２は、その後入力される映像データの画質を調整してフレームコントローラ１３に入力するが、この新たな映像データは、上記マスクされなかったプレビューウィンドウ５３に対応する部分のみフレームバッファ３１に書き込まれる。このように、プレビューの映像データをフレームバッファ３１に直接書き込むことにより、キャプチャメモリ３２を省略することができる。
【００３８】
なお、この実施形態では、メニュー５０の項目の階層はページ→パラメータの２階層であったが、図１１に示すように、ページ（メニュー１〜５）→サブメニュー（Ｐｒｍ１〜５）→パラメータの３段階にすることもできる。この場合でも、同図に示すように各項目（ページ，サブメニュー，パラメータ）が選択されているときに移動可能な方向が矢印で表示される。なお、この図は、全ての矢印を記載しているが、実際には、そのとき選択されている項目からの移動可能方向の矢印のみが表示される。
【００３９】
また、この実施形態では、ビデオプロジェクタを例にあげて説明したが、この発明はビデオプロジェクタに限定されずメニューなど複数の項目を画面に表示して利用者に操作させる処理装置であればどのような装置にも適用可能なものである。
【００４０】
【発明の効果】
以上のようにこの発明によれば、選択を移動可能な項目を矢印などで表示することにより、利用者が操作するとき、たとえば移動するつもりでパラメータを増減してしまったり、パラメータを増減するつもりがパラメータの選択を移動してしまうというような操作を誤ることがなくなる。
【図面の簡単な説明】
【図１】この発明の実施形態であるビデオプロジェクタのブロック図
【図２】同ビデオプロジェクタのリモコンの外観図
【図３】同ビデオプロジェクタのフレームコントローラのブロック図
【図４】同ビデオプロジェクタのメニュー表示中の画面構成の例を示す図
【図５】同ビデオプロジェクタのメニューの表示例を示す図
【図６】同ビデオプロジェクタの動作を示すフローチャート
【図７】同ビデオプロジェクタの動作を示すフローチャート
【図８】同ビデオプロジェクタの動作を示すフローチャート
【図９】同ビデオプロジェクタのプレビュー方式の他の実施形態を示す図
【図１０】同ビデオプロジェクタのプレビュー方式のさらに他の実施形態を示す図
【図１１】同メニューの他の構成例を示す図
【符号の説明】
１…ビデオプロジェクタ、２…リモコン、
１１…ＡＤコンバータ、１２…画質調整部、１３…フレームコントローラ、１４…光学系、１５…リモコン通信部、２０…スクリーン、
２１（２１ｕ，２１ｄ，２１ｌ，２１ｒ）…十字カーソルボタン、２２…確定ボタン、２３…メニューボタン、２４…エスケープボタン、
３０…処理部、３１…フレームバッファ、３２…キャプチャメモリ、
５０…メニュー、５１…タグエリア、５２…設定エリア、５３…プレビューウィンドウ、５４…移動バー、５５…移動可能方向矢印、
２０１…調節前映像表示エリア、２０２…プレビュー映像表示エリア
【図１】
0003870689.tif 000002
【図２】
0003870689.tif 000003
【図３】
0003870689.tif 000004
【図４】
0003870689.tif 000005
【図５】
0003870689.tif 000006
【図６】
0003870689.tif 000007
【図７】
0003870689.tif 000008
【図８】
0003870689.tif 000009
【図９】
0003870689.tif 000010
【図１０】
0003870689.tif 000011
【図１１】
0003870689.tif 000012